(57)【要約】【課題】    遠隔地の者でもお見舞品として入院患者に贈ることのできる病院用プリペイドカードを実現する。【解決手段】  度数情報の他に、発行元を識別する発行元識別情報及びカード固有の識別情報を記録した共通プリペイドカードＣと、上記共通プリペイドカードの度数を各病院Ｈ１・・ＨＮで使用している固有の料金徴収システム用の院内プリペイドカードＣＨの度数に交換する交換装置４０を用意し、上記交換装置には入力された共通プリペイドカードの発行元識別情報とカード固有の識別情報により共通プリペイドカードであることを認証して、院内プリペイドカードの度数への交換を許可する手段を設ける。【選択図】    図１
2005173841.tif 000002
【特許請求の範囲】
【請求項１】
度数情報の他に、発行元を識別する発行元識別情報及びカード固有の識別情報を記録した共通プリペイドカードと、上記共通プリペイドカードの度数を各病院内で使用している固有の料金徴収システム用の院内プリペイドカードの度数に交換する交換装置からなり、上記交換装置は入力された共通プリペイドカードの発行元識別情報とカード固有の識別情報により共通プリペイドカードであることを認証して、院内プリペイドカードの度数への交換を許可する手段を有することを特徴とする病院用プリペイドカードシステム。
【請求項２】
各病院の交換装置を共通プリペイドカードの発行元の管理サーバにネットワークを介して接続して、入力された共通プリペイドカードの認証をオンラインで行う請求項１記載の病院用プリペイドカードシステム。
【請求項３】
院内プリペイドカードとして情報を書き込み可能な媒体を採用し、交換装置に設けたカードリーダ／ライタにより、共通プリペイドカードから交換された度数を加算した額に院内プリペイドカードの度数を書き換える請求項１又は２記載の病院用プリペイドカードシステム。
【請求項４】
度数情報の他に、発行元を識別する発行元識別情報及びカード固有の識別情報を記録した共通プリペイドカードと、上記共通プリペイドカードの度数を各病院内で使用している固有の料金徴収システム用の院内プリペイドカードの度数に交換する交換装置からなり、上記交換装置は入力された共通プリペイドカードの発行元識別情報とカード固有の識別情報により共通プリペイドカードであることを認証して、院内プリペイドカードの度数への交換を許可する手段を有するプリペイドカードシステムにおいて、共通プリペイドカードとして情報を書き込み可能な媒体を採用すると共に、共通プリペイドカードの発行元の管理サーバにネットワークを介して接続される交換装置を病院の各有料使用機器の料金徴収装置に組み込み、交換装置に設けたカードリーダ／ライタにより、院内プリペイドカードとして認証されるための識別情報を共通プリペイドカードに書き込むことにより、共通プリペイドカードを院内プリペイドカードとして通用するように書き換えることを特徴とする病院用プリペイドカードシステム。
【請求項５】
各病院内の交換装置で読み取った共通プリペイドカードの発行元識別情報とカード固有の識別情報は、共通プリペイドカードの発行元の管理サーバに送信され、管理サーバでは認証を行うと共に、上記病院内の院内プリペイドカードの運営業者を割り出して、当該院内プリペイドカードとして認証されるための識別情報をカードリーダ／ライタにセットされた共通プリペイドカードに書き込む請求項４記載の病院用プリペイドカードシステム。
【発明の詳細な説明】
【技術分野】
【０００１】
この発明は、病院で各種の有料使用機器の料金支払いに使用される病院用プリペイドカードシステムに関し、特に贈答に使用されることを前提としたプリペイドカードを使用するシステムに関する。
【背景技術】
【０００２】
病院においては、例えば、時間貸しテレビや時間貸し冷蔵庫等の有料使用機器が普及しており、これらの料金徴収手段としてプリペイドカードが使用されている（公知例としては、特許文献１、特許文献２）。上記プリペイドカードは同時に病院内の売店や各種施設、自動販売機等でも通用することが多く、金銭より安全性が高く使い勝手のよいプリペイドカードは入院患者にとって大変重宝なもので、使用割合も多かった。ちなみに、代表的なプリペイドカード使用機器である時間貸しテレビの一カ月当たりの平均費用は３千５百円といわれており、これだけとっても入院患者のプリペイドカードへの依存率が高いことがわかる。
【特許文献１】特開２００１−３２５３７０号公報
【特許文献２】特開平０９−３２６０８５号公報
【発明の開示】
【発明が解決しようとする課題】
【０００３】
ところで、入院患者へのお見舞品としては、古くは花が一般的であったが、現在では花粉の問題がクローズアップされ、花の持ち込みを禁止している病院さえあるのが現状である。又、菓子や果物は患者の病状によっては食べれない場合が多く、かえって迷惑になることもあった。一方、現金には以上のような問題がなく、遠隔地から送るのにも適しているが、それだけではいかにも露骨で、贈るタイミングが難しいという問題があった。他方、調査によると、入金患者一人当たりに集まるお見舞い品の金銭換算額は約３万円ともいわれており、何かと出費が嵩む入院患者の本音は実は金銭的なお見舞いを望んでいるのが現状であった。
【０００４】
以上の状況から、現金に代わる金銭的なお見舞いの手段として、前記のプリペイドカードが浮上する。しかしながら、プリペイドカードは病院毎に異なる運営主体により発行されており、これに不正使用防止や偽造防止等のセキュリティー上の理由も加わり、当該病院でしか通用しないというのが現状であった。よって、遠隔地からお見舞いとして贈ることは事実上できなかった。この場合、数千種類ある病院の各プリペイドカードの規格を満たすカードを全種類用意することは事実上不可能であった。
【課題を解決するための手段】
【０００５】
この発明は以上の従来技術の問題点を解消した病院用プリペイドカードシステムを提供することを目的として創作されたものである。即ち、この発明の病院用プリペイドカードシステムは、度数情報の他に、発行元を識別する発行元識別情報及びカード固有の識別情報を記録した共通プリペイドカードと、上記共通プリペイドカードの度数を各病院内で使用している固有の料金徴収システム用の院内プリペイドカードの度数に交換する交換装置からなり、上記交換装置は入力された共通プリペイドカードの発行元識別情報とカード固有の識別情報により共通プリペイドカードであることを認証して、院内プリペイドカードの度数への交換を許可する手段を有することを特徴とする。
【０００６】
又、ここでは、度数情報の他に、発行元を識別する発行元識別情報及びカード固有の識別情報を記録した共通プリペイドカードと、上記共通プリペイドカードの度数を各病院内で使用している固有の料金徴収システム用の院内プリペイドカードの度数に交換する交換装置からなり、上記交換装置は入力された共通プリペイドカードの発行元識別情報とカード固有の識別情報により共通プリペイドカードであることを認証して、院内プリペイドカードの度数への交換を許可する手段を有するプリペイドカードシステムにおいて、共通プリペイドカードとして情報を書き込み可能な媒体を採用すると共に、共通プリペイドカードの発行元の管理サーバにネットワークを介して接続される交換装置を病院の各有料使用機器の料金徴収装置に組み込み、交換装置に設けたカードリーダ／ライタにより、院内プリペイドカードとして認証されるための識別情報を共通プリペイドカードに書き込むことにより、共通プリペイドカードを院内プリペイドカードとして通用するように書き換えることを特徴とする病院用プリペイドカードシステムも第２発明として開示する。
【発明の効果】
【０００７】
以上の構成よりなるこの発明によれば、共通プリペイドカードはその度数を各病院において、その病院でしか通用しない院内プリペイドカードに交換することができるので、遠隔地からプリペイドカードをお見舞いとして贈る者は、共通プリペイドカードを購入すれば各病院毎の院内プリペイドカードを購入しなくても済む効果を奏する。
【０００８】
又、第２発明によれば、上記第１発明の効果に加えて、交換装置により共通プリペイドカードを一々院内プリペイドカードと交換しなくても、共通プリペイドカードを各有料使用機器の料金徴収装置に読み込ませれば、事後は共通プリペイドカードをそのまま院内プリペイドカードとして使用することができる効果を奏する。
【発明を実施するための最良の形態】
【０００９】
以下、この発明の病院用プリペイドカードシステムの具体的実施例を添付図面に基づいて説明する。図１はこの発明の第１実施例のブロック図である。図中符号Ｃは共通プリペイドカードであり、例えばコンビニエンスストアー等に設置された交換装置４０により発券される。この共通プリペイドカードＣは度数情報の他に、発行元を識別する発行元識別情報及びカード固有の識別情報が記録され、これらのデータは当該共通プリペイドカードの発行元のサーバ３０のデータベース３１により管理される。この実施例においては共通プリペイドカードＣの記録媒体として磁気カードのように１回限りで使い捨てるものを想定している。
【００１０】
図中符号Ｈ１・・ＨＮは全国各地の病院であり、各病院には院内プリペイドカードＣＨ用の有料使用機器４１が設けられると共に、前記共通プリペイドカードＣの度数を院内プリペイドカードの度数に交換するための交換装置４０が設置される。上記交換装置４０はコンピュータによる認証装置を内蔵しており、取り扱い可能な共通プリペイドカードの発行元を識別する発行元識別情報及びカード固有の識別情報によりそれが真正なものであるかを判断し、カードリーダに挿入された共通プリペイドカードＣが取り扱い可能な真正なものと判断した場合は度数を交換した院内プリペイドカードＣＨを発券する。この場合、共通プリペイドカードＣは１回限りで使い捨てる磁気媒体を使用しているので、カードリーダに挿入された共通プリペイドカードはそのまま交換装置内に収容され、それと引き換えに度数を交換した院内プリペイドカードＣＨが発券される。尚、ここでは交換装置４０に現金による院内プリペイドカードＣＨの発券機能も併せ持たせている。
【００１１】
この実施例において、院内プリペイドカードＣＨとして例えばＩＣカードのような情報を書き込み可能な媒体を採用している場合は、共通プリペイドカードＣからの度数の交換は新たな院内プリペイドカードの発券ではなく、手持ちの院内プリペイドカードに度数を加算する形式で行ってもよい。
【００１２】
この実施例においては、交換装置４０内に収容された交換済みの共通プリペイドカードＣは院内プリペイドカードの運営業者により回収され、発行元に清算処理依頼をする。発行元では各業者から送られてきた交換済みの共通プリペイドカードＣの額面を計算し、規定手数料を差し引いた金額を、運営業者に精算する。
【００１３】
図２はこの発明の第２実施例のブロック図である。この実施例においては各病院の交換装置４０を共通プリペイドカードの発行元の管理サーバ３０にネットワークＮを介して接続する。又、共通プリペイドカードＣの記録媒体として磁気カードの他に、ＩＣカードのように情報を書き込み可能なものや、発行元のみが識別できる固有のナンバーなどが印刷され、更にその部分がスクラッチしないと現れない方式の紙、又はペットカードを想定している。
【００１４】
この実施例においては、各病院の交換装置４０は内蔵したコンピュータがネットワークＮを介して発行元の管理サーバ３０と通信することにより、共通プリペイドカードＣの認証や使用データの採取を行う。例えば共通プリペイドカードＣがＩＣカードの場合は、カードリーダにより読み込んだ発行元識別情報及びカード固有の識別情報は発行元の管理サーバ３０に送信され、上記管理サーバにおいてはデータベース３１を参照して認証を行い、その結果を交換装置４０に返す。認証結果を得た交換装置４０においては、度数を交換した院内プリペイドカードＣＨを発券するか、院内プリペイドカードがＩＣカードの場合はその度数を書き換える。一方、共通プリペイドカードＣにおいては交換した分の度数が減算処理されて度数情報が書き換えられ、この情報は後日の清算のために発行元の管理サーバ３０に送信され、データベース３１が更新される。又、共通プリペイドカードＣが固有のナンバーなどが印刷される形式のものである場合は、交換装置４０にはカードリーダではなく、テンキーと番号表示部をもたせ、打ち込まれた番号を認証のために発行元の管理サーバ３０に送信する。
【００１５】
又、この実施例においては、発券装置２０をネットワークＮを介して発行元の管理サーバ３０に接続することにより、共通プリペイドカードＣがＩＣカードである場合に、購入の都度、度数及び識別情報を管理サーバ３０からオンラインで書き込むようにしてもよい。
【００１６】
図３は第２発明の実施例のブロック図である。この実施例においては各病院Ｈ１・・ＨＮにおいて共通プリペイドカードの発行元の管理サーバ３０にネットワークＮを介して接続されるホストコンピュータ５０に対し、交換装置５３及び各種の有料使用機器５２をローカルエリアネットワークＬで接続している。ここでは、共通プリペイドカードＣの記録媒体としてＩＣカードのように情報を書き込み可能なものを想定している。
【００１７】
この実施例においては、共通プリペイドカードＣを有料使用機器５２に直接使用可能とするために、有料使用機器の料金徴収装置に交換装置５３を組み込んでいる。料金徴収装置のカードリーダ／ライタにより読み込んだ共通プリペイドカードＣの発行元識別情報及びカード固有の識別情報はローカルエリアネットワークＬからホストコンピュータ５０を介してネットワークＮ経由で発行元の管理サーバ３０に送信され、上記管理サーバにおいてはデータベース３１を参照して認証を行い、その結果をホストコンピュータ５０に返す。認証結果を得た交換装置５３においては、カードリーダ／ライタにより、院内プリペイドカードとして認証されるための識別情報を共通プリペイドカードに書き込むことにより、共通プリペイドカードを院内プリペイドカードとして通用するように書き換える。この情報は後日の清算のために発行元の管理サーバ３０に送信され、データベース３１が更新される。この場合、院内プリペイドカードとして認証されるための識別情報を共通プリペイドカードに書き込む作業は交換装置５３が認証を待って独自に行う他、認証を行った管理サーバが行ってもよい。後者の場合、管理サーバが上記病院内の院内プリペイドカードの運営業者を割り出して、当該院内プリペイドカードとして認証されるための識別情報をカードリーダ／ライタにセットされた共通プリペイドカードに書き込むことになる。
【図面の簡単な説明】
【００１８】
【図１】この発明の病院用プリペイドカードシステムの第１実施例のブロック図。
【図２】同上、第２実施例のブロック図。
【図３】第２発明の病院用プリペイドカードシステムの実施例のブロック図。
【符号の説明】
【００１９】
Ｃ        共通プリペイドカード
ＣＨ      院内プリペイドカード
２０      発券機
３０      共通プリペイドカードの発行元の管理サーバ
４０      交換装置
４１      有料使用機器
【図１】
2005173841.tif 000003
【図２】
2005173841.tif 000004
【図３】
2005173841.tif 000005